(57)【要約】【課題】  従来に比し多くの情報表示ができる表示装置を有し、簡便で個性的なデザインのディスク再生装置を得る。【解決手段】  ディスク再生駆動機構１０のワークチャック５ａに装着されたディスク７の上方に、ディスクを覆うように透過型液晶表示装置４が配設されてカバーとなされる。また、このディスク７と透過型液晶表示装置４の間に複数のＬＥＤ６による照光手段が設けられる。そして、複数のＬＥＤ６による光とディスクのラベル面に反射した光により、この透過型液晶表示装置４に所望の情報を表示できるようになしたものである。【選択図】        図６
2005166146.tif 000002
【特許請求の範囲】
【請求項１】
ディスクの再生状態では、
該ディスクが再生装置からはみ出して露出するように配置させ、前記はみ出して露出する前記ディスクを見えるようにして、再生するようにした
ことを特徴とするディスク再生装置。
【請求項２】
請求項１に記載のディスク再生装置において、
前記はみ出して露出する前記ディスクを、透過型液晶体からなるカバーで覆い、
該透過型液晶体と、前記ディスクの間に配設された光源からの光を透過させて、文字表示を行わせる
ことを特徴とするディスク再生装置。
【請求項３】
請求項１または２に記載のディスク再生装置において、
前記ディスク再生装置を車載するようにした
ことを特徴とするディスク再生装置。
【請求項４】
ディスクの再生状態では、
該ディスクが再生装置からはみ出して露出するように配置され、前記はみ出して露出する前記ディスクを透過型液晶体で覆い、
該透過型液晶体と前記ディスクの間に配設された光源からの光を透過させて、文字表示を行なうようにした
ことを特徴とするディスク再生装置の表示装置。
【発明の詳細な説明】
【技術分野】
【０００１】
本発明は、収納スペース上の制約の多い、車載用のＣＤ（Compact  Disc）、ＤＶＤ（Digital  Versatile  Disc）などの（光）ディスクの再生に用いて好適なディスク再生装置及びディスク再生装置の表示装置に関する。
【背景技術】
【０００２】
従来、可搬性を要しないホームオーディオやカーオーディオなどに組み込まれる一般的なディスク再生装置は、ディスクトレイを前面の引出し位置まで前進させ、ここでディスクをセットし、ディスクを内部に取込ませ、内部のディスク駆動機構や光ピックアップ駆動機構を作動させて再生するものである。このため、再生中のディスクの動作確認は、装置前面の液晶表示、蛍光表示管などで示される時間経過、音量インジケータの表示変化で行うものとなっている。また、省スペースなどの要請からディスク再生装置そのものの小型化が要請されており、装置前面自体の大きさも極力小さくされている。
【０００３】
また、従来知られているディスク再生装置として、特許文献１に開示されている自動車室内の限られた設置スペースで使用する自動車用映像音響再生装置がある。この自動車用映像音響再生装置は、本体ケースと、この本体ケースに対して水平方向に出入自在に構成されたスライダーと、このスライダーに搭載されて水平方向から起倒可能に構成された可動キャビネットとを備えたものであり、この可動キャビネットは水平方向に倒した状態で上面となる側にディスク再生装置を設け、その反対側の下面に表示装置を設けて、この可動キャビネットを水平方向から起こした状態で表示装置が前面側となるように構成されている。
【特許文献１】特許２９３７０５８号公報（第１頁，図１）
【発明の開示】
【発明が解決しようとする課題】
【０００４】
しかしながら、ホームユース、車載用いずれにおいても、従来のディスク再生装置においては、再生時はディスクトレイが内部に格納されて蓋が閉まった状態であり、また、ディスク再生装置そのものの小型化が図られるためデザインの個性化、差別化が図れない傾向があった。
特に、車載用のディスク再生装置においては、車内のインストルメントパネルあるいはコンソールパネルなどでは装置収納スペースが限られるため、装置の前面露出部が小さくなり表示領域が狭くなる。このため、表示領域への表示内容は、ディスクのトラック情報などの情報のみに限られ、デザイン的な自由度も少ないものとなっていた。
【０００５】
また、特許文献１に開示されているディスク再生装置は、ディスクトレイの裏面に表示パネルが配設され、この表示パネルがバックライトを含むものであるため、可動キャビネット自体の自重が大きくなる。このため、スライダーの高剛性化、大出力の駆動モータ採用などが必須となり、コストがかかり、消費電力も大きくなるという不都合があった。
【０００６】
かかる点に鑑み、本発明は、ディスクの再生中、停止中にかかわらず多くの情報を表示することができ、簡便で個性的なデザインのディスク再生装置及びディスク再生装置の表示装置を提案することを目的とする。
【課題を解決するための手段】
【０００７】
上記課題を解決し、本発明の目的を達成するため、本発明のディスク再生装置は、ディスクの再生状態では、そのディスクが再生装置からはみ出して露出するように配置させ、はみ出して露出するディスクを見えるようにして、再生する構成としている。
【０００８】
このように構成したので、本発明のディスク再生装置は、車のインストルメントパネルなどの収納スペースにディスク再生装置本体を収納し、通常はこの本体内に収納されているディスク再生機構を引出し位置の状態でディスクを再生することができる。このとき、回転するディスクをカバー越しに見ることができるため、目新しいデザインのものとすることができる。
【０００９】
また、本発明のディスク再生装置は、上記のディスク再生装置において、はみ出して露出するディスクを、透過型液晶体からなるカバーで覆い、透過型液晶体と、ディスクの間に配設された光源からの光を透過させて、文字表示を行わせるものである。
【００１０】
このように構成したので、本発明のディスク再生装置は、ディスクのカバーに透過型液晶体を用い、表示領域がディスクの径の長さを一辺とする矩形とできるので、従来に比し大きな表示面積となり多くの情報を表示させながらディスクを再生することができる。
【００１１】
さらに、本発明のディスク再生装置の表示装置は、ディスクの再生状態では、そのディスクが再生装置からはみ出して露出するように配置され、はみ出して露出するディスクを透過型液晶体で覆い、その透過型液晶体とディスクの間に配設された光源からの光を透過させて、文字表示を行なうようにしたものである。
【００１２】
このように構成したので、本発明のディスク再生装置の表示装置は、ディスクのカバーに透過型液晶体を用いることで、表示領域がディスクの径の長さを一辺とする矩形とすることができ、従来に比し大きな表示面積となるので多くの情報を表示することができるものとなる。
【発明の効果】
【００１３】
本発明のディスク再生装置及びディスク再生装置の表示装置によれば、カバーとされた透過型液晶体に背面からの照光により、ディスクの再生中、停止中にかかわらず、多くの文字情報の表示ができ、従来にないデザインのディスク再生装置及びディスク再生装置の表示装置を簡便な手段で実現することができる。
【発明を実施するための最良の形態】
【００１４】
以下、本発明のディスク再生装置を実施するための最良の形態の例を図１〜７により説明する。
【００１５】
図１で５０は、本例のディスク再生装置を示すもので、車のインストルメントパネルあるいはコンソールパネルなどの規格化された収納スペースに適合した大きさのものである。このディスク再生装置５０は、スライド開閉蓋２が設けられる側を前面とし、車の収納スペースには前面のみが露出するように組み込まれる。
そして、ディスク再生装置５０の内部に周知のディスク再生機構、スライド駆動機構、これらに必要な電気信号を給電するための回路基板が設けられ、さらに、背面に図示しない電気的接続端子が設けられる。
【００１６】
本例のディスク再生装置５０の内部に収納されているスライド駆動機構を、模式図の図２Ａ及びＢを参照して説明する。
【００１７】
図２Ａ及びＢにおいて、１０はディスク再生駆動機構を示し、図示しないディスク回転駆動機構、光ピックアップ駆動機構、ピックアップ移送機構から構成され、端部にスライド開閉蓋２が設けられる。このディスク再生駆動機構１０の上面に、ディスクカバーの一部をなす透明樹脂板８が設けられ、この透明樹脂板８とヒンジ９で開閉自在に透過型液晶表示装置４が設けられる。
【００１８】
そして、ディスク再生駆動機構１０は、一対のアーム３，３によって両側から支持され、アーム３，３に設けられた軸３ａ，３ａにより回動自在になされる。
なお、透過型液晶表示装置４には、図示しないフレキシブルケーブルが設けられ、ディスク再生装置５０の装置筐体１の背面内側の図示しない接続端子に電気的な接続がなされる。
【００１９】
アーム３，３は可動シャーシの一部をなすものであり、この可動シャーシには、ディスク再生駆動機構１０を図２Ａに示す収納位置から図２Ｂに示す引出し位置まで、略水平にスライド移動させるためのスライド駆動機構が設けられている。
【００２０】
図２Ｂに示すように、スライド駆動機構は、駆動用のモータ１４、このモータ１４の回転軸に固定される小径のピニオン１３、一対のスライド駆動ピニオン１２，１２とこれを連結するシャフトから構成される。そして、モータ１４の駆動力が一対のスライド駆動ピニオン１２，１２に伝えられ、このスライド駆動ピニオン１２，１２がディスク再生装置５０の装置筐体１の内部下面に設けられた一対のラック１１，１１と歯合するようになされる。
【００２１】
さらに、図２Ｂに示すように、アーム３，３には、各アームに２つの突起３ｂ，３ｂを設け、ディスク再生装置５０の装置筐体１の内部側面に設けられたガイド１５，１５の摺動溝１５ａ，１５ａと係合させて、可動シャーシを略水平に移動できるようにしている。
このようにして、可動シャーシのアーム３によって支持されているディスク再生駆動機構１０は、図２Ａに示す収納位置から図２Ｂに示す引出し位置までの間をスライド移動できるようになされる。
【００２２】
図２Ｂに示される引出し位置までスライド移動されたディスク再生駆動機構１０を図３に示す。図３は、引出し位置でディスクカバーを構成する透過型液晶表示装置４を開けた状態を示しているが、図示のように、ディスク再生駆動機構１０の上面にはディスク７が納まる深さでディスク７より少し大きい略円形の凹部が設けられている。この略円形の凹部の側壁には、図３に示すように、照光手段であるＬＥＤ（Light Emitting Diode：発光ダイオード）６が複数埋設されている。
そして、中央にディスク７を固定して回転できるようにするための、爪をもつワークチャック５ａが設けられる。
【００２３】
なお、ディスクカバーを構成する、透明樹脂板８と透過型液晶表示装置４を回動自在とするヒンジ９には、透過型液晶表示装置４を開とする方向に付勢するバネが設けられる。そして、透過型液晶表示装置４を閉とするときに、図示しないロック機構でスライド開閉蓋２に閉止される。また、スライド開閉蓋２と反対側のディスク再生駆動機構１０には、スライド移動のとき、可動シャーシに係合してディスク再生駆動機構１０を略水平の姿勢を保たせるための、図示しない係合手段が設けられている。
【００２４】
このように構成されたディスク再生装置では、図１及び図２Ａに示ように、スライド開閉蓋２が閉じた状態で、このスライド開閉蓋２を押すとディスク再生駆動機構１０の後端部が図示しないスイッチを押圧し作動させる。これにより、モータ１４が回転してスライド駆動ピニオン１２を駆動し、スライド駆動ピニオン１２は、歯合しているラック１１上を回転しながら前面方向に可動シャーシと一緒に移動する。そして、この可動シャーシとアーム３，３を介して連結されているディスク再生駆動機構１０が引出し位置までスライド移動する（図２Ｂ参照）。
【００２５】
次に、図３に示すように、ディスク再生駆動機構１０が前面の引出し位置となってから、ディスクカバーの図示しないロック機構を人手で解除して透過型液晶表示装置４を開け、ディスク７のセンターホールをワークチャック５ａの爪に嵌めこみ固定する。
【００２６】
次に、図４に示すように、透過型液晶表示装置４を回動して閉じ、ディスクカバーのロック機構を作動させると、予め設定されていた動作モード、音量でディスク７が再生される。そして、ディスク７の周辺に埋設されている複数のＬＥＤ６の「照光」がＯＮとなるように設定され 、透過型液晶表示装置４への所望の「情報表示」が行われる設定である場合に、図５に示すように、時刻などの情報表示が行われる。
【００２７】
この透過型液晶表示装置４で情報を表示しているときのディスク再生駆動機構１０を、図６に示す模式図を参照して説明する。ディスク回転駆動モータ５の軸に設けられたワークチャック５ａの爪によって固定されたディスク７と透過型液晶表示装置４の間に複数のＬＥＤ６が配設される。
このため、透過型液晶表示装置４の所定の透明電極に電圧が印加されると、この透明電極の領域がＬＥＤ６からの直接光あるいはディスク７の上面のラベルで反射された光を透過し、所望の情報が表示されるものとなる。
【００２８】
また、ディスク７をディスク再生装置５０の装置筐体１の内部で再生したいときは、再度、スライド開閉蓋２を押すことでディスク再生駆動機構１０が内部にスライド移動し、図１に示す収納状態で再生できる。さらに、再生動作の一時停止、再開は操作ボタン２ａで行うことができる。
【００２９】
なお、透過型液晶表示装置４を、図４に示す略水平の状態から図５に示す傾斜した状態への姿勢変更は、ディスク再生駆動機構１０が図４の引出し位置のとき、手動で行なうことができるようになされる。そして、ディスク再生駆動機構１０の端部のスライド開閉蓋２を僅かに強く下方に押すことで後端部の図示しない係合手段が解除され、図５に示すように軸３ａを支点として所望の角度に回動できる。
【００３０】
本例のディスク再生装置によれば、ディスク再生駆動機構１０を引出した状態でディスク７を再生することができ、再生中、停止中を問わずディスクカバーの一部をなす透過型液晶表示装置４に必要に応じて曲名などのディスク情報や時刻を表示させることができる。
また、本例のディスク再生装置によれば、ディスク７は、ワークチャック５ａの爪で固定されているのでディスク再生駆動機構１０の姿勢にかかわらず安定して再生することができ、透過型液晶表示装置４の背面から複数のＬＥＤ６により照光して表示させるため、ＬＥＤ６による直接光や、再生するディスク７のラベルで反射した光による背景色となるため、従来にないデザインのディスク再生装置とすることができる。
【００３１】
また、本例のディスク再生装置によれば、車載用のディスク再生装置として車のインストルメントパネルなどの収納スペースに収納し、大きな表示面積の透過型液晶装置４により、多くの情報を表示させながらディスクを再生することができる。
【００３２】
なお、本例のディスク再生装置では、照光手段としての複数のＬＥＤ６が、ワークチャック５ａの爪でチャックされたディスク７の回りの略円形凹部の側壁に配置される例で説明したが、この場所に限らず、ディスク７の載置領域以外のディスク再生駆動機構１０上面と透過型液晶表示装置４との間であればよく、例えばディスクカバーの裏面に設けてもよい。
また、透過型液晶表示装置４の上面に透明のタッチセンサフィルムを設け、液晶によるボタン表示と組合わせて操作スイッチを構成してもよく、さまざまな構成を採り得るものである。
【００３３】
さらに、ディスク再生駆動機構１０を矩形状のものとして図示したが、ディスク駆動機構の機能を損なわなければ、図７Ａ及びＢに示すように略円形としてもよい。図７Ａはスライド開始直後で開閉蓋２が開いた状態を示しており、このようにディスク再生装置の開閉蓋２を設けるような構造とし、ディスク再生駆動機構１０を他にないデザインのものとすることができる。
【００３４】
また、本発明は上述例に限ることなく本発明の趣旨を逸脱しない範囲で種々変更できることは勿論である。
【図面の簡単な説明】
【００３５】
【図１】本発明のディスク再生装置を示す外観斜視図である。
【図２】本発明のディスク再生装置のスライド機構の説明に供し、Ａは収納時、Ｂは前進時の断面模式図である。
【図３】本発明のディスク再生装置のディスク挿脱時の外観斜視図である。
【図４】本発明のディスク再生装置のディスク再生時の外観斜視図である。
【図５】本発明のディスク再生装置を傾けてディスクを再生しカバーに時刻表示させた状態の外観斜視図である。
【図６】本発明のディスク再生装置の表示装置の情報を表示しているときの断面模式図である。
【図７】本発明のディスク再生装置及びディスク再生装置の表示装置の他の形態の例を示し、Ａは開閉蓋が開直後、Ｂは引出し位置で傾けられた状態を示す斜視図である。
【符号の説明】
【００３６】
１・・・・装置筐体、３・・・・アーム、３ａ・・・・軸、４・・・・透過型液晶表示装置、５・・・・モータ、５ａ・・・・ワークチャック、６・・・・ＬＥＤ、７・・・・（光）ディスク、１０・・・・ディスク再生駆動機構
【図１】
2005166146.tif 000003
【図２】
2005166146.tif 000004
【図３】
2005166146.tif 000005
【図４】
2005166146.tif 000006
【図５】
2005166146.tif 000007
【図６】
2005166146.tif 000008
【図７】
2005166146.tif 000009